(57)【要約】      （修正有）【課題】専門業者を必要とせずに容易に施工ができるモザイク状タイルを提供する。【解決手段】設置面に接着剤を塗布し、タイルシートを貼付し、目地剤を塗り、余分な目地材をふき取り仕上げするタイル貼り作業が容易に行えるように工程順に図示された工程図３１が印刷された印刷物３０が、複数のタイルピースが裏面材によって複数並置されて一体化されたタイルシート２０と同時に包装袋１１に包装されている。工程図は、設置面の清拭作業、設置面への接着剤の塗布作業、タイルシートの押圧貼付作業、接着剤の乾燥作業、タイルシート表面への目地材の塗布作業及び余分な目地材の拭き取り作業の各工程を含む。【選択図】図１
0003218797.tif 000002
【実用新案登録請求の範囲】
【請求項１】
設置面に接着剤を塗布し、タイルシートを貼付し、目地剤を塗り、余分な目地材をふき取り仕上げするタイル貼り作業が容易に行えるように工程順に図示された工程図が印刷された印刷物が、複数のタイルピースが裏面材によって複数並置されて一体化されたタイルシートと同時に包装されていることを特徴とするモザイク状タイル。
【請求項２】
前記工程図が、（１）設置面の清拭作業、（２）前記設置面への接着剤の塗布作業、（３）タイルシートの押圧貼付作業、（４）接着剤の乾燥作業、（５）タイルシート表面への目地材の塗布作業及び（６）余分な目地材の拭き取り作業の各工程を含む請求項１に記載のモザイク状タイル。
【請求項３】
前記タイルシート及び印刷物とともに目地材が包装された請求項１又は２に記載のモザイク状タイル。
【考案の詳細な説明】
【技術分野】
【０００１】
本考案は、床材や壁材として使用されるモザイク状タイルに関する。
【背景技術】
【０００２】
建築物の室内外における床材や壁材には、複数のタイルピースを裏面材に並置一体化したタイルシートからなるモザイク状タイルが広く使用されている。モザイク状タイルでは、セラミック製の一般的なタイルピースの他、住宅の玄関ポーチ等において床材や壁材に天然石等の石材が好んで用いられることに対応して景観向上のために天然石等の石材をタイルピースとして構成する等、様々な外観のモザイク状タイルが流通している（例えば、特許文献１参照）。
【０００３】
この種のモザイク状タイルの施工は、通常、専門の施工業者によって行われる。しかしながら、近年では、専門業者ではない人が自分自身で家具や壁等の自宅周り補修や改修等を行うＤＩＹ（ディーアイワイ：Ｄｏ  Ｉｔ  Ｙｏｕｒｓｅｌｆの略）が注目されている。ＤＩＹは、専門業者に頼らないため、安価に補修や改修等を行うことができるばかりでなく、補修箇所等を自分好みに仕上げやすく、それらを自らの手で作り上げる過程を楽しむことができる等、実用性の高い趣味として知られる。そこで、床材や壁材の補修や改修等を行う場合においても、専門業者を必要とせずに容易に施工することができるモザイク状タイルが求められている。
【先行技術文献】
【特許文献】
【０００４】
【特許文献１】実登３０４２３６５号公報
【考案の概要】
【考案が解決しようとする課題】
【０００５】
本考案は、前記の点に鑑みなされたものであって、専門業者を必要とせずに容易に施工することができるモザイク状タイルを提供するものである。
【課題を解決するための手段】
【０００６】
すなわち、請求項１の考案は、設置面に接着剤を塗布し、タイルシートを貼付し、目地剤を塗り、余分な目地材をふき取り仕上げするタイル貼り作業が容易に行えるように工程順に図示された工程図が印刷された印刷物が、複数のタイルピースが裏面材によって複数並置されて一体化されたタイルシートと同時に包装されていることを特徴とするモザイク状タイルに係る。
【０００７】
請求項２の考案は、前記工程図が、（１）設置面の清拭作業、（２）前記設置面への接着剤の塗布作業、（３）タイルシートの押圧貼付作業、（４）接着剤の乾燥作業、（５）タイルシート表面への目地材の塗布作業及び（６）余分な目地材の拭き取り作業の各工程を含む請求項１に記載のモザイク状タイルに係る。
【０００８】
請求項３の考案は、前記タイルシート及び印刷物とともに目地材が包装された請求項１又は２に記載のモザイク状タイルに係る。
【考案の効果】
【０００９】
請求項１の考案に係るモザイク状タイルによると、設置面に接着剤を塗布し、タイルシートを貼付し、目地剤を塗り、余分な目地材をふき取り仕上げするタイル貼り作業が容易に行えるように工程順に図示された工程図が印刷された印刷物が、複数のタイルピースが裏面材によって複数並置されて一体化されたタイルシートと同時に包装されているため、タイル貼りの専門的な知識や技術を備えた専門業者でなくても、取り扱いが簡便なタイルシートを用いて印刷物に図示されている工程順を参照しながら、タイル貼り作業を容易に行うことができる。
【００１０】
請求項２の考案に係るモザイク状タイルによると、請求項１の考案において、前記工程図が、設置面の清拭作業、前記設置面への接着剤の塗布作業、タイルシートの押圧貼付作業、接着剤の乾燥作業、タイルシート表面への目地材の塗布作業及び余分な目地材の拭き取り作業の各工程を含むため、作業者が作業内容やその手順を容易に確認することができる。
【００１１】
請求項３の考案に係るモザイク状タイルによると、請求項１または２の考案において、前記タイルシート及び印刷物とともに目地材が包装されたため、タイル貼り作業に必要な材料をそろえやすくなる。
【図面の簡単な説明】
【００１２】
【図１】本考案の第１実施形態に係るモザイク状タイルの概略斜視図である。
【図２】タイルシートの裏面側の概略平面図である。
【図３】印刷物の概略平面図である。
【図４】作業図の概略図である。
【図５】工程図の概略図である。
【図６】印刷物のバリエーションを表した概略平面図である。
【考案を実施するための形態】
【００１３】
図１に示す本考案の一実施形態に係るモザイク状タイル１０は、包装袋１１に、タイルシート２０と、タイル貼り作業の工程図３１が印刷された印刷物３０が同時に包装されたものである。このモザイク状タイル１０は、例えば、玄関ポーチ等の床材や壁材として使用されるＤＩＹ（ディーアイワイ）用のタイルであって、専門業者を介さずに容易にタイル貼りの施工を可能とする。
【００１４】
包装袋１１は、タイルシート２０と印刷物３０とが収容可能な樹脂シート製の袋状物である。包装袋１１では、収容されたタイルシート２０及び印刷物３０を視認可能とするために、ポリプロピレン等の公知の透明な樹脂シートが好適に用いられる。包装袋１１を透明とすることにより、当該モザイク状タイル１０の店頭販売等の際に購入者が商品を選択しやすくなる。
【００１５】
タイルシート２０は、図２に示すように、複数のタイルピース２１が裏面材２５によって複数並置されて一体化されたものである。タイルピース２１は、床面や壁面を構成する部材であって、四角形や六角形等の多角形状や円形状等の適宜の平面形状の小片部材からなる。タイルピース２１は、セラミック、ガラス、熱可塑性樹脂、石材、金属等の適宜の材料で形成され、必要に応じて適宜の着色が施される。複数のタイルピース２１は、タイルピース２１の形状に対応して升目状やヘクス状等の適宜の配列で並置される。図示の例では複数のタイルピース２１が升目状に配置されている。
【００１６】
裏面材２５は、複数のタイルピース２１を一体に保持するシート材である。裏面材２５としては、例えば、貼付紙、網目紙、ネット等の適宜のシート材が使用される。これらのシート材のうち、網目紙やネット等のように接着性能を有していないシート材を使用する場合、公知の接着剤を介してタイルピース２１が貼り付けられる。貼付紙等の粘着性シートは、表面の接着層によりタイルピース２１が貼り付けられる。実施形態の裏面材２５は、多数の糸状物が格子状に編成された補強ネットである。補強ネットは、糸状物からなるシート体であることから、面方向への強度に優れるとともに、面の垂直方向への柔軟性に優れるため、タイルシート２０の折りたたみが容易で包装袋１１への収容時の省スペース化を図ることができる。裏面材２５の格子形状は、四角形や六角形等の適宜であり、図示の例では六角形で構成される。
【００１７】
このタイルシート２０は、複数のタイルピース２１を裏面材２５によって一体化したことによって、所定の範囲内に予め複数のタイルピース２１が整然と敷き詰められた状態を創出する。従って、タイル貼り作業に際して、複数のタイルピース２１を設置場所に逐一貼り付ける作業を省略することができ、作業を簡便に行うことができる。しかも、設置場所が広範囲であっても、複数のタイルシート２０を整列して配置するだけで、全体として複数のタイルピース２１が整然と配置された状態を容易に創出することができる。
【００１８】
印刷物３０は、図３に示すように、タイルシート２０のタイル貼り作業が容易に行えるように工程順に図示された工程図３１が印刷されたシート状物である。工程図３１は、設置面に接着剤を塗布し、タイルシートを貼付し、目地剤を塗り、余分な目地材をふき取り仕上げするタイル貼り作業を表す複数の作業図４０で構成される。なお、印刷物３０では、工程図３１の他に、商品名やタイトル、作業で使用する道具類、施工例の写真、注意事項、製造者または販売者情報等の適宜の関連情報が必要に応じて印刷される。
【００１９】
作業図４０は、タイル貼り作業で行われる複数の作業のうち、一の作業を表す図柄等からなる。図４は、作業図４０の一例を表すものであって、作業内容を簡略化や省略したピクトグラム等の絵柄で認識可能に表現したイラスト部４１と、作業内容を文章にて簡単に説明した説明文表示部４２と、作業の順番を表した作業番号部４３とを有する。この作業図４０では、イラスト部４１によって作業者に対して作業内容が直感的にイメージしやすくし、説明文表示部４２によってイラスト部４１で表された作業内容を補足し、作業番号部４３によってタイル貼り作業の各作業が対応する工程順を明示している。従って、作業者は、作業図４０によって、タイル貼り作業の作業内容やその順番等を容易に理解することができる。
【００２０】
複数の作業図４０によって構成される工程図３１は、少なくとも設置面に接着剤を塗布する作業と、タイルシートを貼付する作業と、目地剤を塗布する作業と、余分な目地材をふき取る作業とを含む工程順が図示される。実施形態の工程図３１では、図５に示すように、（１）設置面の清拭作業４０ａ、（２）設置面への接着剤の塗布作業４０ｂ、（３）タイルシートの押圧貼付作業４０ｃ、（４）接着剤の乾燥作業４０ｄ、（５）タイルシート表面への目地材の塗布作業４０ｅ及び（６）余分な目地材の拭き取り作業４０ｆの各工程を含む。
【００２１】
図５（ａ）に示す設置面の清拭作業４０ａは、タイル貼り作業の第１の工程であって、タイルシート２０を貼り付ける予定の設置場所の表面をタオルやスポンジ等を用いてきれいにする作業である。図５（ｂ）に示す設置面への接着剤の塗布作業４０ｂは、タイル貼り作業の第２の工程であって、清拭作業４０ａでキレイにした設置面にくし目ゴテ等を用いて公知の接着剤を塗布する作業である。図５（ｃ）に示すタイルシートの押圧貼付作業４０ｃは、タイル貼り作業の第３の工程であって、接着剤が塗布された設置面にタイルシート２０を配置し、表面側からタイルシート２０を押圧して貼り付ける作業である。図５（ｄ）に示す接着剤の乾燥作業４０ｄは、タイル貼り作業の第４の工程であって、設置面への押圧貼付が完了したタイルシート２０を所定時間（図の例では２４時間）以上放置して乾燥させる作業である。図５（ｅ）に示すタイルシート表面への目地材の塗布作業４０ｅは、タイル貼り作業の第５の工程であって、コテ等を用いてモルタル等の目地材をタイルシート２０の目地内へ充填させるように塗布する作業である。図５（ｆ）に示す余分な目地材の拭き取り作業４０ｆは、タイル貼り作業の第６の工程であって、タイルシート２０表面に付着した目地材をタオルやスポンジ等を用いて拭き取り、タイルシート２０表面をきれいにする作業である。
【００２２】
このように、印刷物３０では、工程図３１において複数の作業図４０（４０ａ、４０ｂ、４０ｃ、４０ｄ、４０ｅ、４０ｆ）が、工程順が判別可能なように整列されて表示されているため、作業者が作業内容やその手順を容易に確認することができる。そのため、作業者が施工の専門知識を有していなくとも、印刷物の工程図３１を参照することによって、タイル貼り作業を簡便に行うことができる。
【００２３】
この印刷物３０は、包装袋１１のサイズ等に応じて、形状や印刷内容等が適宜に設定された種々のバリエーションのシート状物とすることができる。図３に示す印刷物３０Ａは、包装袋１１が比較的大きいサイズに収容される略正方形状の大型シート状物である。印刷物３０Ａの工程図３１ａでは、６つの作業図４０ａ、４０ｂ、４０ｃ、４０ｄ、４０ｅ、４０ｆが２列３行で配置され、工程順が左上から各行へ順次進むように表示される。また、工程図３１ａの他に、例えば、使用道具類表示部３２、施工例写真表示部３３、注意事項表示部３４等が印刷される。この大型の印刷物３０Ａでは、印刷可能面積が広いため、工程図３１ａを比較的大きく表示することができるとともに、他の関連情報を詳細かつ多数表示することができる。従って、作業者に対して詳細な情報を提示しやすくなる。大型の印刷物３０Ａは、初心者等のタイル貼り作業の経験が少ない作業者の利用に適している。
【００２４】
図６（ａ）に示す印刷物３０Ｂは、包装袋１１が比較的小さいサイズに収容される略正方形状の小型シート状物である。印刷物３０Ｂの工程図３１ｂでは、６つの作業図４０ａ、４０ｂ、４０ｃ、４０ｄ、４０ｅ、４０ｆが３列２行で配置され、工程順が左上から各行へ順次進むように表示される。また、印刷物３０Ｂでは、工程図３１ｂの他に、例えば、商品名表示部３５、製造者情報表示部３６等が印刷される。この小型の印刷物３０Ｂでは、印刷可能面積が限られているため、工程図３１ｂ以外の関連情報が可能な限り省略される。従って、作業者に対して必要な情報を提示しながらモザイク状タイル１０の省スペース化に対応することができる。小型の印刷物３０Ｂは、印刷された情報が限定されているため、タイル貼り作業の経験が比較的多い作業者の利用に適している。
【００２５】
図６（ｂ）に示す印刷物３０Ｃは、包装袋１１が長方形状等の変則的な形状に対応可能な略長方形状の帯型シート状物である。印刷物３０Ｃの工程図３１ｃでは、６つの作業図４０ａ、４０ｂ、４０ｃ、４０ｄ、４０ｅ、４０ｆが横一列で配置され、工程順が左から順に表示される。この印刷物３０Ｃでは、工程図３１ｃの他に、例えば、製造者情報表示部３６等が印刷される。この帯型の印刷物３０Ｃでは、小型の印刷物３０Ｂと同様に印刷可能面積が限られているため、工程図３１ｃ以外の関連情報が可能な限り省略される。従って、作業者に対して必要な情報を提示しながらモザイク状タイル１０の省スペース化に対応することができる。帯型の印刷物３０Ｃは、小型の印刷物３０Ｂと同様にタイル貼り作業の経験が比較的多い作業者の利用に適している。
【００２６】
本考案のモザイク状タイル１０では、包装袋１１内にタイルシート２０と印刷物３０とともに、目地材（図示せず）を包装してもよい。目地材をともに包装することにより、タイルシート２０と目地材とを一括して購入することができ、タイル貼り作業に必要な材料をそろえやすくなる。また、包装される目地材は、タイルシート１枚分に使用される分量程度とすることが好ましい。これにより、施工後に目地材の余りが出にくくなり、施工後の片付け等が煩雑とならない。なお、包装袋１１の容量や店頭陳列時のスペース等に応じて、目地材の他に接着剤やコテ等の作業用具を適宜包装してもよい。
【００２７】
以上図示し説明したように、本考案のモザイク状タイルは、タイルシートと、工程図が印刷された印刷物とが同時に包装されたものである。すなわち、包装されたタイルシートは、複数のタイルピースを逐一貼り付ける作業を省略することができるため、取り扱いが極めて簡便であり、タイル貼り作業に際して専門的な技術を必要としない。そして印刷物は、工程図によりタイル貼り作業の工程順が図示されているため、工程図を参照することによってタイル貼りの作業内容や手順を確認することができ、タイル貼り作業の専門的な知識を必要としない。従って、タイル貼りの専門的な知識や技術を備えた専門業者でなくても、取り扱いが簡便なタイルシートを用いて印刷物に図示されている工程順を参照しながら、タイル貼り作業を容易に行うことができる。
【００２８】
なお、本考案のモザイク状タイルは、前述の実施形態のみに限定されるものではなく、考案の趣旨を逸脱しない範囲において構成の一部を適宜に変更して実施することができる。例えば、印刷物の形状等は前述の実施形態のような大型シート状物、小型シート状物、帯状シート状物に限らず、種々の形状や大きさとすることができ、工程図の配置等の印刷内容も適宜である。
【産業上の利用可能性】
【００２９】
本考案のモザイク状タイルは、専門業者に頼ることなく、印刷物の工程図を参照しながら取り扱いが簡便なタイルシートを用いて容易にタイル貼りを行うことができる。そのため、ＤＩＹに最適なモザイク状タイルを提供することができる。
【符号の説明】
【００３０】
１０    モザイク状タイル
１１    包装袋
２０    タイルシート
２１    タイルピース
２５    裏面材
３０，３０Ａ，３０Ｂ，３０Ｃ    印刷物
３１，３１ａ，３１ｂ，３１ｃ    工程図
３２    使用道具類表示部
３３    施工例写真表示部
３４    注意事項表示部
３５    商品名表示部
３６    製造者情報表示部
４０    作業図
４０ａ  設置面の清拭作業
４０ｂ  設置面への接着剤の塗布作業
４０ｃ  タイルシートの押圧貼付作業
４０ｄ  接着剤の乾燥作業
４０ｅ  タイルシート表面への目地材の塗布作業
４０ｆ  余分な目地材の拭き取り作業
４１    イラスト部
４２    説明文表示部
４３    作業番号部
【図１】
0003218797.tif 000003
【図２】
0003218797.tif 000004
【図３】
0003218797.tif 000005
【図４】
0003218797.tif 000006
【図５】
0003218797.tif 000007
【図６】
0003218797.tif 000008